(57)【要約】【課題】撮影者が撮影時に、どのような眼底撮影を行わなければならないかを容易に知ることができる眼底画像撮影装置を提供する。【解決手段】眼底カメラ１には被検眼眼底を撮像する撮像素子を内蔵したデジタルカメラ２が付設されている。デジタルカメラ２によって撮影された画像は情報処理装置３に出力される。この情報処理装置３内には画像記憶部４、表示制御部５、計時部６、撮影シーケンス記憶部７、撮影判断部８、撮影シーケンス調整部９、撮影シーケンス登録部１０、検査制御部１１、検査指示部１２が内蔵されている。情報処理装置３には表示部１３が接続されている。表示部１３に撮影シーケンス記憶部７に記憶した撮影シーケンスを表示することにより、表示部１３でどのような眼底撮影を行わなければならないかを知ることができる。【選択図】図１
2010005073.tif 000002
【特許請求の範囲】
【請求項１】
被検者を撮影する撮影手段と、撮影の手順を登録するための撮影シーケンス登録手段と、該撮影シーケンス登録手段により登録された撮影シーケンスを表示する表示手段とを備えることを特徴とする医療用撮影装置。
【請求項２】
前記表示手段は時間軸に沿って前記撮影シーケンスを表示することを特徴とする請求項１に記載の医療用撮影装置。
【請求項３】
指定時刻からの経過時間を計時するための計時手段と、前記表示手段は前記撮影シーケンスと共に前記計時手段によって計時された前記経過時間を表示するための経過時間表示手段とを備えることを特徴とする請求項１に記載の医療用撮影装置。
【請求項４】
前記経過時間は検査開始時からの時間であることを特徴とする請求項３に記載の医療用撮影装置。
【請求項５】
前記撮影シーケンス登録手段は、被検者の左右何れの眼を撮影するかを登録することを特徴とする請求項１に記載の医療用撮影装置。
【請求項６】
前記撮影シーケンス登録手段は１枚毎の被検者の眼底の撮影タイミングを登録することを特徴とする請求項１に記載の医療用撮影装置。
【請求項７】
前記表示手段は、登録された撮影タイミングを画像枠として表示し、該画像枠の内部に撮影画像を表示することを特徴とする請求項６に記載の医療用撮影装置。
【請求項８】
前記撮影シーケンス登録手段は、前記撮影タイミングの許容時間を登録することを特徴とする請求項６に記載の医療用撮影装置。
【請求項９】
前記撮影シーケンス登録手段によって登録された前記撮影タイミングを過ぎても撮影が実施されなかった場合に、登録されている前記撮影タイミングを調整する調整手段を備えることを特徴とする請求項６に記載の医療用撮影装置。
【請求項１０】
前記撮影シーケンスを全て実行したかどうかを判断する撮影判断手段と、該撮影判断手段が全ての前記撮影シーケンスを実行したと判断するまで検査を終了することを禁止する終了禁止手段とを備えることを特徴とする請求項１に記載の医療用撮影装置。
【発明の詳細な説明】
【技術分野】
【０００１】
本発明は、集団健診や眼科医院等で使用される眼底カメラ等の医療用撮影装置に関するものである。
【背景技術】
【０００２】
従来から、集団健診によるスクリーニングや眼科疾患の診断を目的として眼底カメラによる眼底撮影が広く普及している。近年では、眼底画像をデジタルデータとして記録する方法が一般的に広く普及されており、撮影データは可搬型の記録媒体やＰＣ等に内蔵されたハードディスクドライブ等に記録される。
【０００３】
眼底カメラによる眼底撮影は、短時間に大量の画像を撮影することでも知られている。特に、スクリーニングを目的とした集団健診では、大量の被検者を撮影しなければならないため、撮影者の不注意により、一部の被検者を撮影しないまま、その日の健診を終了してしまうこともある。
【０００４】
集団健診において、撮影漏れが発生した場合には、被検者に再度、撮影のために健診会場、又は健診施設に来てもらう必要がある。眼科医院において撮影漏れが発生した場合には、被検者に再び散瞳剤を点眼したり、蛍光剤を静注する必要が生ずる。しかし、再検査は被検者にとって、身体的にも精神的にも大きな負担となる。
【０００５】
そのため、特許文献１においては、予め用意した撮影予定者リストと撮影済みリストを比較することにより、その日の集団健診が全て終了した段階において撮影漏れを検知することを可能とした眼科撮影装置が開示されている。
【０００６】
【特許文献１】特開２００６−１１５９２５号公報
【発明の開示】
【発明が解決しようとする課題】
【０００７】
しかし、撮影すべき被検者を漏れずに撮影しただけでは不十分であり、被検者を単に撮影したか否かだけではなく、眼底撮影の内容も重要な要素である。撮影した眼底画像は医師によって適切な診断が行われるが、この適切な診断を行うためには、診断目的に応じて適切なタイミングで、適切な部位を適切な枚数撮影をしなければならない。
【０００８】
例えば集団健診における眼底撮影は、主として糖尿病や緑内障等のスクリーニングを目的としており、スクリーニングを目的とした眼底撮影では左右何れの眼に病変が存在するかが分からないため、左右両眼共に撮影を行う必要がある。そのため、集団健診では左右両眼を必ず１枚ずつ撮影することを義務付けることが多い。
【０００９】
しかし従来の眼底画像撮影装置においては、撮影者に対して左右何れかの眼を何枚撮影しなければならないかを伝達する手段を有していないため、撮影者は左右何れの眼を何枚撮影したらよいのかが分からないという問題がある。
【００１０】
一方、眼科医院における眼底撮影では、病変部位をより詳細に診断するために、カラー撮影に加えて蛍光剤を静注して行う蛍光撮影を行う場合がある。この蛍光撮影においては、病変部位に蛍光剤が到達するタイミングで撮影を行うことが、診断上、極めて重要である。そのため、眼科医院では蛍光撮影時の撮影タイミング及び撮影枚数を既定している場合が多い。
【００１１】
しかし、従来の眼底画像撮影装置は撮影者に対して蛍光撮影の撮影タイミングや撮影枚数を伝える手段を有していないため、撮影者は蛍光剤を静注してから何秒後に何枚の撮影を行わなければならないかが分からないという問題を有している。
【００１２】
このように、従来の眼底画像撮影装置においては、撮影者がどのような眼底撮影を行えばよいのかが分からないため、診断に必要な眼底画像を撮影し忘れてしまうことがある。
【００１３】
本発明の目的は、上述の問題点を解消し、例えば撮影者が撮影時にどのような眼底撮影を行わなければならないかを容易に知ることができる医療用撮影装置を提供することにある。
【課題を解決するための手段】
【００１４】
上記目的を達成するための本発明に係る医療用撮影装置は、被検者を撮影する撮影手段と、撮影の手順を登録するための撮影シーケンス登録手段と、該撮影シーケンス登録手段により登録された撮影シーケンスを表示する表示手段とを備えることを特徴とする。
【発明の効果】
【００１５】
本発明に係る医療用撮影装置によれば、撮影時に撮影のタイミングや撮影部位を表示するようにしているため、撮影者は例えばどのような眼底撮影を行わなければならないかを容易に知ることができる。また、診断の目的に合致した眼底画像を容易に撮影することができる効果を有している。
【発明を実施するための最良の形態】
【００１６】
本発明を図示の実施例に基づいて詳細に説明する。
図１は医療用撮影装置である本実施例の眼底画像撮影装置の構成図を示している。眼底カメラ１には被検眼眼底を撮像する撮像素子を内蔵したデジタルカメラ２が付設されている。このデジタルカメラ２によって撮影された画像は情報処理装置３に出力される。この情報処理装置３内には、画像記憶部４、表示制御部５、計時部６、撮影シーケンス記憶部７、撮影判断部８、撮影シーケンス調整部９、撮影シーケンス登録部１０、検査制御部１１、検査指示部１２が内蔵されている。更に、情報処理装置３には表示部１３が接続されている。
【００１７】
表示制御部５は、画像記憶部４に記憶された画像と、撮影シーケンス記憶部７に記憶された撮影シーケンスと、計時部６で計時された時刻に基づいて、表示部１３の表示制御を行う。なお、撮影シーケンスとは、撮影モード、撮影対象の左右眼情報、撮影タイミング、及び撮影タイミングの許容期間等のうち、少なくとも何れかを含む撮影手順のことである。また、撮影判断部８は撮影シーケンス記憶部７に記憶されている撮影手順に基づいて撮影を実行したか否かを判断する。撮影シーケンス調整部９は撮影シーケンスの調整が可能なように構成され、検査指示部１２は検査制御部１１に対して検査終了を指示し、撮影判断部８の判断に基づいて、検査の終了を制御可能とされている。
【００１８】
眼底撮影に際しては、先ず診断の目的に適した撮影手順を撮影シーケンスとして登録する。登録する撮影シーケンスの内容は診断の目的に応じて変化するため、集団健診におけるカラー撮影と、眼科医院における蛍光撮影の例について説明する。
【００１９】
図２は表示部１３の表示画面に表示される集団健診の撮影シーケンス登録画面２１を示しており、集団健診の管理者は集団健診に先立ち、撮影シーケンス登録部１０から撮影シーケンス記憶部７に撮影シーケンスを登録する。この画面では１枚毎の眼底画像の撮影条件等を入力する。撮影シーケンスの登録においては、初めに撮影モードの選択を行う。集団健診では無散瞳型眼底カメラを用いたカラー撮影が行うため「Ｃｏｌｏｒ」を選択する。なお、スクリーニングを目的としているため蛍光撮影は行われない。
【００２０】
次に、左右眼の指定を行う。スクリーニングを目的としたカラー撮影では、病変部位の特定が不可能であり、必ず左右両眼を撮影する必要があり、それぞれ登録する。なお、図２に示す撮影シーケンス登録画面２１においては「右眼」の選択を入力している。
【００２１】
一方、カラー撮影では蛍光剤を使用しないため、撮影のタイミングによらず、同じ眼底画像を撮影することが可能である。そのため、撮影タイミングの撮影タイミング設定手段及び許容時間の許容時間設定手段の入力欄は「指定なし」、「自動指定」をそれぞれ選択する。
【００２２】
そして、最後に画面下の登録釦２２の選択が検出されると、入力した撮影シーケンスが撮影シーケンス記憶部７に追加される。同様に、「左眼」のカラー撮影の撮影シーケンスを追加すると、図３に示すように撮影シーケンス表示画面２３には左右両眼、合計２つの撮影シーケンスが設定される。
【００２３】
図４は眼科医院における蛍光撮影の撮影シーケンス登録画面２４を示しており、蛍光撮影においてもカラー撮影と同様に検査に先立ち、撮影シーケンスを登録する。この撮影シーケンス登録画面２４では１枚毎の眼底画像の撮影タイミング等を入力する。
【００２４】
初めに、撮影モードの選択を行う。眼科医院では散瞳型眼底カメラを用いた蛍光撮影が行われる。そのため、撮影シーケンス登録画面２４の撮影モードは「Ｆｌｕｏ」の選択がなされる。次に、左右眼の指定を行う。蛍光撮影を行う場合には病変部位が既に特定されていることが多いため、左右眼の指定を行うことが多い。なお図４に示すように、左右眼の指定を行わない「指定なし」とすることも可能である。
【００２５】
次に、撮影タイミングの指定を行う。蛍光撮影では蛍光剤を静注してからの経過時間が重要な要素となるため、撮影を行うべきタイミングを予め指定しておく必要があり、撮影タイミング入力欄２５に、蛍光剤を静注してからの経過時間を登録する。しかし、撮影タイミングを蛍光剤静注からの経過時間に限定する必要はなく、検査開始時からの経過時間としてもよいし、１枚目の撮影からの経過時間とすることもできる。
【００２６】
続いて、許容時間の登録を行う。本来では、蛍光撮影は設定した撮影タイミング通りに実施されなければならないが、撮影者が手動で撮影を行う以上、撮影タイミングが僅かにずれてしまうことは避けられない。また、被検者の瞬きや固視不十分等によって、登録され撮影タイミングを過ぎてしまうことも十分に考えられ、撮影タイミングには上述のずれを考慮した許容時間を登録可能としている。
【００２７】
なお本実施例においては、許容時間を自動登録する「自動登録」を選択している。許容時間を「自動登録」とした場合には、図５に示すように撮影タイミングで設定した経過時間に比例して、許容時間が増加するように自動設定される。
【００２８】
なお、一般に被検者の固視安定性は、高齢者ほど悪化することが知られているため、許容時間は被検者の年齢に応じて変化するように自動登録してもよい。また、カラー撮影では蛍光撮影と比較すると、撮影タイミングに対する許容度が大きい。そのため、撮影モードに応じて許容時間を変化させるように自動登録してもよく、許容時間を手動で任意の値に設定するよう構成することも勿論できる。
【００２９】
そして、最後に画面上の登録釦２６の選択を検出すると、入力した撮影シーケンスが撮影シーケンス記憶部７に記憶される。この撮影シーケンスの登録操作を繰り返し、一連の蛍光撮影の撮影シーケンスを追加すると、図６に示す撮影シーケンス表示画面２７のように、撮影シーケンスが撮影タイミング順に登録される。
【００３０】
なお、ここでは撮影シーケンスを手動で設定する場合の例について説明したが、ネットワーク等を経由して撮影シーケンスを設定するようにしてもよい。
【００３１】
集団健診のカラー撮影の場合には、撮影者は撮影に先立ち、検査指示部１２を操作することにより、表示部１３に図７に示す撮影画面２８を表示させる。この撮影画面２８には、メイン表示領域２９とサムネイル表示部３０が配置され、サムネイル表示部３０には撮影シーケンス記憶部７に記憶されている各撮影シーケンスが画像枠３１として表示される。また、各撮影シーケンスに登録されている撮影条件は撮影条件欄３２に表示される。
【００３２】
カラー撮影を行うため、予め図３に示すように左右両眼、合計２枚の撮影シーケンスが登録されているものとすると、画像枠３１の内部及び撮影条件欄３２も２つずつ表示される。また、２つの画像枠３１内には実際に撮影が行われるまで画像は表示されない。
【００３３】
図８はカラー撮影における撮影手順のフローチャートである。先ず、ステップＳ１１において、表示制御部５によって表示部１３に図７に示す撮影画面２８を表示させる。そして、デジタルカメラ２は、図示しない眼底カメラ１に備えられる撮影スイッチの押圧操作に応じて、被検眼眼底の撮影を行う。撮影された眼底画像はデジタルカメラ２により光電変換された後に、画像データとして情報処理装置３の画像記憶部４に記憶される。また、画像記憶部４にはデジタルカメラ２により撮影した画像データと共に、左右眼及び撮影モードの情報が記憶される。
【００３４】
ステップＳ１２において、撮影判断部８は画像記憶部４に画像データが記憶されたことを検知すると、撮影シーケンス記憶部７に記憶されている撮影シーケンスと比較し、一致するか否かを判断する比較処理を行う。なお、この比較処理は後述する図１０に示すフローチャートに基づいて実施される。
【００３５】
このステップＳ１２において、撮影判断部８は、これらの情報が一致した場合には、ステップＳ１３に進み、撮影シーケンスに基づいた撮影が行われたと判断する。そして撮影判断部８は、該当する撮影シーケンスに撮影済みフラグをセットし、ステップＳ１４に進む。ステップＳ１４では、画像記憶部４に記憶された画像データが例えば右眼を撮影したものである場合、表示制御部５は図９に示すようにメイン表示領域２９に撮影画像を表示させる。更に、表示制御部５は条件に一致する撮影シーケンスの画像枠３１の内部に撮影画像を表示させる。これにより、撮影者は撮影画像が埋め込まれた画像枠３１を認識し、その撮影シーケンスが遂行されたことを容易に把握することができる。
【００３６】
一方、ステップＳ１２において、撮影判断部８は登録された撮影シーケンスの条件に一致するものがなかった場合には、ステップＳ１５に進み、撮影シーケンス外の撮影であると判断する。表示制御部５はメイン表示領域２９に撮影画像を表示すると共に、サムネイル表示部３０に新たな画像枠を作成し、その画像枠内に撮影画像を表示する。
【００３７】
図１０は図８のステップＳ１２の比較処理のフローチャートである。先ずステップＳ２１において、撮影判断部８は撮影シーケンス記憶部７から初めに登録された撮影シーケンスを読み出す。次にステップＳ２２において、撮影判断部８は画像記憶部４に画像データと共に記憶された左右眼の情報が、撮影シーケンスにおいて指定されている左右眼の情報と一致するか否かを比較する。左右眼の情報が一致しなかった場合はステップＳ２３に進み、撮影判断部８は比較対象の登録撮影シーケンスが最後に登録されたものであるか否かを判断する。撮影シーケンスが最後に登録されたものと判断された場合には、全ての撮影シーケンスとの比較が終了したものと判断しステップＳ２４に進み、画像記憶部４に記憶された画像データが撮影シーケンス外の撮影であると判断する。撮影判断部８は撮影シーケンスが最後に登録されたものでないと判断した場合には、次の登録撮影シーケンスが存在するためステップＳ２１に戻り、同様のステップを繰り返す。
【００３８】
ステップＳ２２において、左右眼の情報が一致した場合にはステップＳ２５に進み、撮影判断部８は画像記憶部４に記憶された撮影モードの情報が、撮影シーケンスに設定されている撮影モードの情報と一致するか否かを判断する。撮影モードの情報が一致しなかった場合はステップＳ２３に進み、撮影モードが一致した場合にはステップＳ２６に進み、撮影シーケンスに基づいた撮影と判断する。
【００３９】
次に、眼科医院の蛍光撮影の撮影手順においては、撮影者は撮影に先立ち、図示しない検査指示部１２を操作することにより、表示部１３に図１１に示す撮影画面４１を表示させる。この撮影画面４１はメイン表示領域４２とサムネイル表示部４３及び時間軸であるタイムライン表示部４４により構成されている。
【００４０】
サムネイル表示部４３には、撮影シーケンス記憶部７に記憶されている各撮影シーケンスが画像枠４５のように表示される。また、各撮影シーケンスに登録されている撮影条件は撮影条件欄４６に表示される。
【００４１】
タイムライン表示部４４には単位時間毎の目盛りが刻まれ、蛍光剤静注からの経過時間が表示される。画像枠４５及び撮影条件欄４６は各撮影シーケンスの撮影タイミングに一致するタイムライン表示部４４上に表示される。また、このタイムライン表示部４４上には各撮影シーケンスの撮影タイミングを示す撮影タイミングライン４７と、各撮影タイミングの許容時間幅を示す許容時間表示域４８も設けられる。
【００４２】
更に、タイムライン表示部４４には蛍光剤静注から現在時刻までの経過時間を示す経過時間表示ライン４９が設けられている。この経過時間表示ライン４９は、時間経過に伴いタイムライン上を右側に移動制御される。
【００４３】
ここでは蛍光撮影を行うため、予め図６に示すように計７枚の撮影シーケンスが設定されているものとする。撮影シーケンスが計７枚であるため、画像枠４５、撮影条件欄４６、撮影タイミングライン４７及び許容時間表示域４８も７つずつ表示する。図１１に示すように、サムネイル表示部４３の表示幅が十分でない場合には、表示できる範囲内で表示を行う。その場合に、サムネイル表示部４３を横方向にスクロールさせることによって、全ての画像枠４５、撮影条件欄４６、撮影タイミングライン４７及び許容時間表示域４８を表示することができる。
【００４４】
図１２は蛍光撮影における撮影手順についてのフローチャートを示している。撮影者は表示部１３に図１１に示す撮影画面を表示させた後に被検者に対して蛍光剤の静注を行う。ステップＳ３１において、撮影者は静注と同時に、検査指示部１２のタイマ開始釦を操作する。検査制御部１１は、タイマ開始釦の操作を検出する。そして、ステップＳ３２において、検査制御部１１によるタイマ開始釦の操作の検出に応じて計時部６は経過時間の計時を開始すると共に、表示制御部５は経過時間表示ライン４９の表示の移動を開始する。
【００４５】
ステップＳ３３において、撮影者は被検者を眼底カメラ１の前に着座させ、被検眼の位置合わせ及びフォーカスの調整を行い、図示しない撮影スイッチを押すことにより、ストロボを発光させ被検眼眼底部の撮影を行う。このとき、撮影者は経過時間表示ライン４９の表示位置と撮影タイミングライン４７の位置関係を注視することで、撮影シーケンス上での現在位置を認識することができ、次の撮影タイミングを容易に把握することができる。
【００４６】
撮影された眼底画像はデジタルカメラ２により光電変換された後に、画像データとして画像記憶部４に記憶される。また、画像記憶部４には画像データと共に、撮影時の経過時間及び撮影モードの情報が記憶される。
【００４７】
ステップＳ３４において、撮影判断部８は画像記憶部４に画像データが記憶されたことを検知すると、撮影シーケンス記憶部７に記憶された撮影シーケンスとの比較処理を行う。なお、この比較処理は後述する図１４に示すフローチャートに基づいて実施される。
【００４８】
このステップＳ３５において、経過時間が許容時間の範囲内にあり、かつ撮影モードが撮影シーケンスと一致していると判断された場合にはステップＳ３５に進む。このステップＳ３５においては、撮影シーケンスに基づいた撮影が行われたと判断し、該当する撮影シーケンスに撮影済みフラグをセットする。
【００４９】
続いてステップＳ３６に進み、図１３に示すように表示制御部５はメイン表示領域４２に撮影画像を表示すると共に、条件と一致する撮影シーケンスの画像枠４５の内部に撮影画像を表示する。そして、条件と一致する撮影シーケンスの撮影条件欄４６には、実際に撮影を行ったときの経過時間を表示する。撮影者は撮影画像が埋め込まれた画像枠４５と撮影条件欄４６を認識し、そのシーケンスが遂行されたことを容易に把握することができる。
【００５０】
一方、ステップＳ３４において、撮影シーケンス内に条件に一致するシーケンスが見つからなかった場合には、ステップＳ３７に進み、撮影シーケンス外の撮影であると判断する。この場合、表示制御部５はメイン表示領域４２に撮影画像を表示すると共に、サムネイル表示部４３に新たな画像枠を作成し、その画像枠内に撮影画像を表示する。この新たに作成する画像枠は、撮影時の経過時間に一致するタイムライン上に表示することが望ましいが、前後の画像枠と重なる場合はサムネイル表示部４３内の任意の位置に表示してもよい。
【００５１】
図１４は図１２のステップＳ３４の比較処理のフローチャートを示している。先ずステップＳ４１において、撮影シーケンス記憶部７から初めに登録された撮影シーケンスを読み出す。次に、ステップＳ４２において、撮影シーケンスに登録されている撮影タイミングから許容時間を引いた値を下限時間として算出した後に、ステップＳ４３において、撮影タイミングに許容時間を足した値を上限時間として算出する。
【００５２】
次に、ステップＳ４４において画像記憶部４に記憶された蛍光剤静注からの経過時間が、上述の下限時間と上限時間の間に収まっているか否かを判断する。経過時間が下限時間と上限時間の範囲内に収まらなかった場合にはステップＳ４５に進み、登録された撮影シーケンスとの比較が全て終了したか否かを判断する。比較が全て終了したと判断された場合には、撮影シーケンス外の撮影と判断する。撮影シーケンスが末尾ではないと判断された場合には、次の撮影シーケンスが存在するため、ステップＳ４１に戻り同様のステップを繰り返す。
【００５３】
また、ステップＳ４４において、経過時間が下限時間と上限時間の範囲内にあると判断された場合には、ステップＳ４６に進む。ステップＳ４５において、画像記憶部４に記憶された画像データの撮影モードの情報が、撮影シーケンスに設定されている撮影モードの情報と一致するか否かを比較する。撮影モードが一致しなかった場合はステップＳ４５に進み、撮影モードが一致した場合には撮影シーケンスに基づいた撮影と判断する。
【００５４】
本実施例の眼底画像撮影装置では、撮影シーケンスを明示することにより、撮影シーケンスを容易に把握することができる。しかし、実際には撮影タイミングを過ぎても撮影シーケンス通りに撮影が行われない場合もある。これは、被検者の瞬きや固視不十分等の不測の事態により、指定の撮影タイミングで撮影が行えないことがあるためである。
【００５５】
このような場合には、撮影シーケンスを調整する必要が生ずる。図１５は情報処理装置３により撮影シーケンスを調整する調整手順のフローチャートである。先ず、ステップＳ５１において、計時部６は検査指示部１２が有するタイマ開始釦の操作である指定時刻から経過時間の計時を開始する。
【００５６】
次に、ステップＳ５２において、撮影シーケンス調整部９は撮影シーケンスとして登録されている撮影タイミングと経過時間とを比較する。撮影タイミングが経過時間よりも小さく、かつ撮影済みフラグがセットされていない場合には、指定した撮影タイミングを過ぎても撮影を実行していないものと判断する。
【００５７】
ステップＳ５２において、撮影シーケンス調整部９は撮影タイミングを過ぎても撮影を実行していないと判断した場合にはステップＳ５３に進む。ステップＳ５３において、撮影シーケンス調整部９は経過時間に一定時間を足した撮影タイミングを算出する。次に、撮影シーケンス記憶部７に記憶されている撮影できなかった撮影タイミングを、算出した撮影タイミングで更新する。
【００５８】
図１６は設定した撮影タイミングを経過しても撮影が実行されていない場合の撮影画面４１を示している。経過時間表示ライン４９が撮影タイミングライン４７及び許容時間表示域４８より右側に移動しており、Ｎｏ２に対応する画像枠４５内には何も表示されていない。
【００５９】
撮影タイミングの更新後は、図１７に示すように撮影タイミングライン４７及び画像枠４５が右側に移動される。図１７の撮影画面４１においては、蛍光剤静注から１０秒後に予定されていた撮影タイミングが３秒後方に移動され、１３秒後に更新している例を示している。
【００６０】
撮影シーケンス調整部９によって撮影タイミングが１０秒後から１３秒後に更新されたため、撮影者は撮影できなかった２枚目の撮影シーケンスを再度試みることが可能になる。
【００６１】
検査を終了する際には、上述したように撮影シーケンスは診断の目的に応じて設定されるため、設定されている撮影シーケンスを全て完遂しなければ適切な診断を行うことはできない。図１８は検査終了可否の判断を行うフローチャートである。先ず、ステップＳ６１において、検査制御部１１は撮影者によって検査指示部１２の操作の操作を検出し、検査の終了を判断する。
【００６２】
次に、ステップＳ６２において、検査制御部１１は撮影シーケンス記憶部７から先頭の撮影シーケンスを取り出した後に、ステップＳ６３において取り出した撮影シーケンスの撮影済みフラグがセットされているか否かを判断する。撮影済みフラグがセットされている場合にはステップＳ６４に進み、検査制御部１１は全ての撮影シーケンスについて撮影済フラグのセットの確認が終了したか否かを判断する。終了していないと判断された場合にはステップＳ６２に戻り、次の撮影シーケンスを取り出し、撮影シーケンスの末尾に到達するまで、撮影済みフラグの確認処理を繰り返す。
【００６３】
そして、撮影シーケンスが末尾で全てのシーケンスに撮影済みフラグがセットされていると判断された場合にはステップＳ６５に進み、本実施例の眼底画像撮影装置は検査の終了を許可し、被検者の撮影を終了する。
【００６４】
一方、ステップＳ６３において撮影シーケンスのうち、１つでも撮影済みフラグがセットされていないものが存在した場合にはステップＳ６６に進み、検査の終了が禁止される。
【００６５】
検査の終了禁止が設定されている場合には、撮影者は未完了の撮影シーケンスを継続して実行することができる。このとき、撮影者は図９に示すような撮影画面上で、未完了の撮影シーケンスを確認することができるため、残りの撮影を容易に行うことが可能である。
【００６６】
図１９は、情報処理装置３のハードウエアの概略構成図を示している。ＣＰＵ５１は情報処理装置３の全体を統括制御する制御ユニットであり、図１における表示制御部５、撮影判断部８、撮影シーケンス登録部１０、撮影シーケンス調整部９、検査制御部１１に対応する。記憶装置５２はハードディスクドライブ等の記憶装置であり、情報処理装置３全体を統括制御するためのコンピュータが実現可能なプログラム、デジタルカメラ２によって撮影された画像及び登録された撮影シーケンスを記憶する。記憶装置５２は画像記憶部４,撮影シーケンス記憶部７に対応する。ＲＡＭ５３は記憶装置５２から読み出されたプログラム等を一時的に記憶するメモリである。操作部５４はマウス、キーボード、タッチパネル等によって構成され、検査指示部１２に対応し、またタイマ５５は計時部６に対応する。
【００６７】
なお、上述の実施例では眼底画像撮影装置について説明したが、Ｘ線撮影装置等の検査に係る医療用撮影装置にも適用させることができる。
【図面の簡単な説明】
【００６８】
【図１】眼底画像撮影装置の構成図である。
【図２】カラー撮影における撮影シーケンス登録画面である。
【図３】カラー撮影における撮影シーケンス表示画面である。
【図４】蛍光撮影における撮影シーケンス登録画面である。
【図５】撮影タイミングと許容時間の説明図である。
【図６】蛍光撮影における撮影シーケンス表示画面である。
【図７】カラー撮影における撮影前の撮影画面である。
【図８】カラー撮影における撮影動作のフローチャートである。
【図９】カラー撮影における撮影後の撮影画面である。
【図１０】カラー撮影における比較処理のフローチャートである。
【図１１】蛍光撮影における撮影前の撮影画面である。
【図１２】蛍光撮影における撮影動作のフローチャートである。
【図１３】蛍光撮影における撮影後の撮影画面である。
【図１４】蛍光撮影における比較処理のフローチャートである。
【図１５】撮影シーケンスの調整手順のフローチャートである。
【図１６】撮影シーケンスの調整前の撮影画面である。
【図１７】撮影シーケンスの調整後の撮影画面である。
【図１８】検査終了判定動作のフローチャートである。
【図１９】情報処理装置におけるハードウエアの概略構成図である。
【符号の説明】
【００６９】
１  眼底カメラ
２  デジタルカメラ
３  情報処理装置
４  画像記憶部
５  表示制御部
６  計時部
７  撮影シーケンス記憶部
８  撮影判断部
９  撮影シーケンス調整部
１０  撮影シーケンス登録部
１１  検査制御部
１２  検査指示部
１３  表示部
２１、２４  撮影シーケンス登録画面
２２、２６  釦
２３、２７  撮影シーケンス表示画面
２８、４１  撮影画面
２９、４２  メイン表示領域
３０、４３  サムネイル表示部
３１、４５  画像枠
３２、４６  撮影条件欄
４４  タイムライン表示部
４７  撮影タイミングライン
４８  許容時間表示域
４９  経過時間表示ライン
５１  ＣＰＵ
５２  記憶装置
５３  ＲＡＭ
５４  操作部
５５  タイマ
【図１】
2010005073.tif 000003
【図２】
2010005073.tif 000004
【図３】
2010005073.tif 000005
【図４】
2010005073.tif 000006
【図５】
2010005073.tif 000007
【図６】
2010005073.tif 000008
【図７】
2010005073.tif 000009
【図８】
2010005073.tif 000010
【図９】
2010005073.tif 000011
【図１０】
2010005073.tif 000012
【図１１】
2010005073.tif 000013
【図１２】
2010005073.tif 000014
【図１３】
2010005073.tif 000015
【図１４】
2010005073.tif 000016
【図１５】
2010005073.tif 000017
【図１６】
2010005073.tif 000018
【図１７】
2010005073.tif 000019
【図１８】
2010005073.tif 000020
【図１９】
2010005073.tif 000021